(57)【要約】【課題】本発明は、複数個の配送物を同一依頼人から同一届け先に送るための複数個用配送伝票とその使用方法の提供を目的とする。【解決手段】複数個の配送物の一つに貼付する１パート配送伝票の構造を有する主伝票部（２）と、該主伝票部（２）に連接する複数枚の副ラベル片（３）を前記主伝票部（２）を構成する配送伝票のラベル基材上に面状に形成し、前記主伝票部（２）及び、前記副ラベル片（３）の各表面に、共通のバーコード（５）をプリンタ装置によって形成し、得られた副ラベル片（３）を残りの配送物の夫々に貼付する構成を見出して上記課題を解決した。【選択図】  図１
2005024765.tif 000002
【特許請求の範囲】
【請求項１】
配送物に貼付するための粘着剤層を裏面に有するラベル基材の表面に、配達票と貼付票とが面状に設けられ、少なくとも該配達票は該ラベル基材から剥離可能な構造を有する配送伝票において、複数個の配送物を同一依頼人から同一届け先に送るための複数個用配送伝票であって、
複数個の配送物の一つに貼付するための配達票と貼付票の組からなる主伝票部と、残りの配送物の夫々に貼付するための複数枚の副ラベル片とを、前記ラベル基材上に面状に配置し、
前記配達票、前記貼付票、及び、前記副ラベル片の各表面に、少なくとも共通の機械読み取り可能な識別コードがプリンタ装置によって形成されるようにしたことを特徴とする複数個用配送伝票。
【請求項２】
前記副ラベル片を分離可能にするために、前記主伝票部と前記副ラベル片、及び副ラベル片同士の境界部にハーフカットを設け、該ハーフカットはラベル基材を切断分離可能な深さに形成されていることを特徴とする請求項１記載の複数個用配送伝票。
【請求項３】
前記配達票には、受領確認情報表示欄が複数設けられ、各副ラベル片に付与された識別子に対応する識別子が該受領確認情報表示欄に付与されていることを特徴とする請求項１または２記載の複数個用配送伝票。
【請求項４】
前記配達票には、同一依頼人から同一届け先に送る配送物の個数を示す配送個数表示欄が設けられていることを特徴とする請求項１または２記載の複数個用配送伝票。
【請求項５】
請求項１から４のいずれか１項記載の複数個用配送伝票の使用方法であって、同一依頼人から同一届け先に送る配送物の個数をＮ（個）とした時、前記識別コードを、Ｎ−１（枚）の各副ラベル片にプリンタ装置により形成し、該識別コードの形成された副ラベル片を主伝票部から分離し、Ｎ−１（個）の前記配送物に貼付するようにしたことを特徴とする複数個用配送伝票の使用方法。
【請求項６】
配達票の配達個数表示欄に前記配送物の個数Ｎをプリンタ装置により形成するようにしたことを特徴とする請求項５記載の複数個用配送伝票の使用方法。
【請求項７】
配達票に受領確認情報表示欄を複数設け、副ラベル片に識別子を設け、該識別子に対応する識別子を前記受領確認情報表示欄の一つに設け、配送物を受領した時に当該配送物に貼付された副ラベルの識別子に対応する識別子の設けられた前記受領確認情報表示欄に受領確認情報を付すようにしたことを特徴とする請求項５記載の複数個用配送伝票の使用方法。
【発明の詳細な説明】
【０００１】
【発明の属する技術分野】
本発明は、宅配便などに使われる配送伝票に関する発明であって、特に、複数個の配送物を同一依頼人から同一届け先に送るための複数個用配送伝票とその使用方法に関する。
【０００２】
【従来の技術】
複数個の配送物を同一依頼人から同一届け先に送るための複数個用の配送伝票としては、複数枚の伝票を綴じた感圧複写式の多パート形式の配送伝票（以下、多パート配送伝票という）が使われている。
例えば、特許文献１には、多パート配送伝票の最下部に個別管理ラベル片を複数枚設け、多パート配送伝票は複数の配送物の一つに貼り、残りの配送物には前記個別管理ラベル片を貼るような構成が記載されている。また多パート配送伝票と個別管理ラベル片の夫々にバーコードが付された構成が記載されている。
上記のような配送伝票は、依頼人の住所氏名、届け先の住所氏名など配送に必要な各種情報を依頼人がボールペン等の筆記具を用いて手書きで記入することが前提になっている。
ところが、最近は、運輸、通販、流通などの各業界でデジタルネットワークを利用した電子的な情報に基づく企業間の商取引、あるいは電子データ交換（ＥＤＩ（Ｅｌｅｃｔｒｏｎｉｃ  Ｄａｔａ  Ｉｎｔｅｒｃｈａｎｇｅの略））が進展したため、各企業においては、伝票への記録も、従来の手書きからコンピュータに繋がるプリンタ装置で電子データを直接伝票上に印字するように変わってきた。勿論上記多パート配送伝票へもインパクト方式のプリンタ装置を用いればコンピュータ上の電子データを印字することも可能である。
【０００３】
さらに、プリンタ装置が進化しノンインパクト型の高速印字可能なプリンタ装置が登場してからは、上記のような感圧複写式の多パート配送伝票である必要もなくなり、下記「特許文献２」に見られるような一枚の用紙上に複数の伝票を配列させ、各伝票に同時にプリンタ印字したものを組とする１パート形式の配送伝票（以下、１パート配送伝票という）が利用されるようになった。
【０００４】
【特許文献１】
実開平０６−１６０７１号公報
【特許文献２】
特開２００１−３５３９８７号公報
【０００５】
【発明が解決しようとする課題】
複数配送物に対応すべく開発された配送伝票も多数存在するが、それらは例えば「特許文献１」に見られるように、多パート配送伝票がベースとなっている。
そのため、配送伝票に対して必要な配送情報ならびに管理用の識別コードをプリンタ装置で印字できない。
バーコードをラベル片に付しものを多数用意したものも見られるが、当該ラベル片は、多パート配送伝票の下部ページに設けられている。そのため、当該ラベル片として予めバーコードを付したものを用意しておき、後から主伝票として用いる多パート配送伝票にこれを綴じこむ必要がある。
即ち、主伝票として用いる多パート配送伝票とバーコードを付したラベル片とは構造的に全く異なるものであるから、製造に際しては、両者別々の材料を用意し、別々の製造工程で製造し、最後に両者を綴じるという複雑な工程になる。
従って、従来の複数個用配送伝票を製造するには、必要な材料の種類も多く、製造工程も複雑なためコスト高になるという課題がある。
【０００６】
また、主伝票である多パート配送伝票に付与するバーコードと、ラベル片に付与するバーコードとを共通化する必要があるが、従来の複数個用配送伝票においては、両者を別々の工程で製造することから、誤って異なるバーコードの付与されたものが混入するとも限らないという課題がある。
【０００７】
そこで、本発明は、上記のような課題を解決するために、１パート形式の配送伝票の考え方を応用して、複数個の配送物を同一依頼人から同一届け先に送るための複数個用配送伝票とその使用方法の提供を目的とする。
【０００８】
【課題を解決するための手段】
本発明の複数個用配送伝票とその使用方法は、上記課題を以下の各請求項に記載の手段により解決するものである。
（請求項１）  配送物に貼付するための粘着剤層（６１）を裏面に有するラベル基材（６０）の表面に、配達票（２１）と貼付票（２２）とが面状に設けられ、少なくとも該配達票（２１）は該ラベル基材（６０）から剥離可能な構造を有する配送伝票（１）において、複数個の配送物を同一依頼人から同一届け先に送るための複数個用配送伝票であって、複数個の配送物の一つに貼付するための配達票（２１）と貼付票（２２）の組からなる主伝票部（２）と、残りの配送物の夫々に貼付するための複数枚の副ラベル片（３）とを、前記ラベル基材（６０）上に面状に配置し、  前記配達票（２１）、前記貼付票（２２）、及び、前記副ラベル片（３）の各表面に、少なくとも共通の機械読み取り可能な識別コード（例えばバーコード（５））がプリンタ装置によって形成されるようにしたことを特徴とする複数個用配送伝票。
【０００９】
（請求項２）  前記副ラベル片（３）を分離可能にするために、前記主伝票部（１）と前記副ラベル片（３）、及び副ラベル片（３）同士の境界部にハーフカットを設け、該ハーフカットはラベル基材（３）を切断分離可能な深さに形成されていることを特徴とする請求項１記載の複数個用配送伝票。
【００１０】
（請求項３）  前記配達票（２１）には、受領確認情報表示欄（捺印欄あるいは署名欄）が複数設けられ、各副ラベル片（３）に付与された識別子（Ｐ）に対応する識別子（Ｐ）が該捺印欄（７）に付与されていることを特徴とする請求項１または２記載の複数個用配送伝票。
【００１１】
（請求項４）  前記配達票（２１）には、同一依頼人から同一届け先に送る配送物の個数を示す配送個数表示欄（８）が設けられていることを特徴とする請求項１または２記載の複数個用配送伝票。
【００１２】
（請求項５）  請求項１から４のいずれか１項記載の複数個用配送伝票の使用方法であって、  同一依頼人から同一届け先に送る配送物の個数をＮ（個）とした時、前記識別コードを、Ｎ−１（枚）の各副ラベル片にプリンタ装置により形成し、該識別コード（例えばバーコード（５））の形成された副ラベル片（３）を主伝票部（２）から分離し、Ｎ−１（個）の前記配送物に貼付するようにしたことを特徴とする複数個用配送伝票の使用方法。
【００１３】
（請求項６）  配達票（２１）の配達個数表示欄（８）に前記配送物の個数Ｎをプリンタ装置により形成するようにしたことを特徴とする請求項５記載の複数個用配送伝票の使用方法。
【００１４】
（請求項７）  配達票（２１）に受領確認情報表示欄（捺印欄あるいは署名欄）を複数設け、副ラベル片（３）に識別子（Ｐ）を設け、該識別子（Ｐ）に対応する識別子（Ｐ）を前記受領確認情報表示欄（捺印欄あるいは署名欄）の一つに設け、配送物を受領した時に当該配送物に貼付された副ラベル（３）の識別子（Ｐ）に対応する識別子（Ｐ）の設けられた受領確認情報表示欄（捺印欄あるいは署名欄）に受領確認情報（捺印あるいは署名）を付すようにしたことを特徴とする請求項５記載の複数個用配送伝票の使用方法。
【００１５】
【発明の実施の形態】
以下、本発明の実施の形態を図面に基づいて詳細に説明する。
【００１６】
図１は、本発明の複数個用配送伝票（以下、単に配送伝票という）を示す平面図である。図中、１は配送伝票、２は配達票２１と貼付票２２とを組としてなる主伝票部、３は副ラベル片である。配送伝票１は、主伝票２と、複数の副ラベル片３が面状に合体された状態で構成される。Ｐは各副ラベル片を識別するために副ラベル片に付された識別子である。
【００１７】
配達票２１には公知の配送伝票に見られるような、お届け先の住所氏名等、発送元の住所氏名等、配送物を受け取った証の受領印を押すための捺印欄７、さらに、配送物管理用の機械読み取り可能な識別コードが付されている。
なお、前記捺印欄７（受領確認情報表示欄）は、印鑑を付すための欄に限られるものではなく署名欄でもよいが、以下便宜上、「署名欄」を含めて「捺印欄」とする。
また、前記識別コードとしては、図示のような１次元のバーコード５に限らず２次元コードでも、英数字等でもよい。以下、機械読み取り可能な識別コードの代表例としてバーコード５の例で説明する。
【００１８】
貼付票２２には公知の配送伝票に見られるような、お届け先の住所氏名等、発送元の住所氏名等、ならびにバーコード５が付されている。
副ラベル片３にはバーコード５のみ付せば十分であるが、お届け先の住所氏名等、発送元の住所氏名等、あるいはそれらの一部を付すようにしてもよい。
配達票２１と貼付票２２がセットになった主伝票部２は複数配送物の一つに貼付され、残りの配送物には副ラベル片３が貼付された状態で受取人に渡る。配達票２１は主伝票部２に剥離可能に設けられ、配送会社の配達員が配送物を受取人に渡し、受領確認を貰った後に剥離し持ち帰る。
【００１９】
図２は図１の配送伝票の構造を説明する断面図である。同図（ａ）は図１のＸ−Ｘ矢視断面図、同図（ｂ）は図１のＹ−Ｙ矢視断面図である。
図２（ａ）において、ラベル基材６０上に伝票用紙６５が接着剤層６３を介して接着されている。伝票用紙６５には貼付票２２と配達票２１とを組とする主伝票部２の図案（配送会社のロゴマーク、各種記入枠や項目名、注意書き等の配送伝票に必要な固定情報など）が印刷されている。
伝票用紙６５の配達票２１は剥離する必要があるので、伝票用紙６５と対向するラベル基材６０の配達票２１に相当する部分は剥離層６４を形成し、配達票２１とラベル基材６０とが擬似接着されている。またラベル基材６０の上側に達するハーフカットＡが貼付票２２と配達票２１の間に形成されている。ラベル基材６０の裏面側には粘着剤層６１が形成されている。（詳細は特許文献２参照）
【００２０】
図２（ｂ）において、ラベル基材６０上に伝票用紙６５が接着剤層６３を介して接着されている。
伝票用紙６５の副ラベル片３は、剥離紙６２より剥離する必要があるので、剥離紙６２の上側に達するハーフカットＢにより副ラベル片３を区分している。
区分された副ラベル片３を剥離紙６２から分離し配送物に貼付する。副ラベル片３は配送物に一旦貼付した後は剥離する必要はない。
【００２１】
図３は本発明の配送伝票の使用方法を説明する図である。
本発明の配送伝票１には、配送に必要な情報が予めプリンタ装置で印字されている。前記情報には管理用のバーコード５も含まれる。前記バーコード５は、配送伝票毎にユニークになっている。また配送伝票１を構成する配達票２１、貼付票２２、ならびに複数の副ラベル片３には、共通のバーコードが印字される。
本発明の配送伝票１は、剥離紙６２を剥がすことにより、主伝票部２と、複数の副ラベル片３に分離可能である。
複数個の配送物の内の一つに主伝票部２を貼る。残りの各配送物には配送物一個に対して一枚の副ラベル片３を貼る。
【００２２】
例えば、５個の配送物を配送する場合、一個目の配送物には主伝票２を、２個目から５個目の４個の配送物には副ラベル片３を貼る。
上記の５個の配送物が配送されると、受取人はその証として配達票２１の捺印欄７に受領印を押し、それを配送会社の配達員が持ち帰る。
【００２３】
（配送個数確認手段−１）
上記のような運用において、配送した配送物の個数が配達票２１で確認できることが好ましいので、配達票２１に配送個数表示欄８を設けるようにしてもよい。（図１参照）
そして、配送情報を配送伝票１にプリンタ印字する際に、配送個数表示欄８に配送個数を印字するようにしてもよい。
使用に際しては、受取人は、配送個数印字欄８に記された配送個数の配送物を受け取ったことを確認し、配達票２１の捺印欄７に捺印する。これにより、配送個数表示欄８に記載された個数の配送物を受領した証となる。
【００２４】
（配送個数確認手段−２）
図４は、本発明に係る配達票の別の実施形態を示す平面図である。
図４は配達票２１に複数の捺印欄７を設け、さらに識別子Ｐを付すことで、配送された配送物の個数のみでなく、配送された配送物を特定可能にしたものである。本発明の配送伝票１に配送情報をプリンタで印字する際に、各副ラベル片３に付す識別子Ｐと、それに対応する識別子Ｐを前記捺印欄７にする。
これにより、受取人は、配送物に貼られてある副ラベル片３の識別子Ｐを確認し、該当する識別子Ｐの付された捺印欄３に受領印を押すことで、受け取った配送物を特定することができる。
【００２５】
例えば、本来配送されるべき配送物が５個であるとした時、何らかの事情により５個の配送物のうち、先に３個だけ届いた場合でも、配達票２１に形成された複数の捺印欄のうち、受け取った３個の配送物の副ラベル片３に付された識別子Ｐに対応する識別子Ｐの付された捺印欄７にのみ捺印することで配送物の受け渡しが可能となる。
後日、残りの配送物が配送された時に、残りの捺印欄に捺印するればよい。
【００２６】
本発明は、以上説明した実施の形態に限定されるものではなく、種々の変形が可能であり、本発明の均等の範囲である。
（１）例えば、副ラベル片の数が４枚の場合について説明したが、副ラベル片の数は４枚に限られるものではなく、２枚３枚でもよく、５枚あるいはそれ以上でもよい。
（２）例えば、配送伝票１のレイアウトの例として、配達票２１の長辺の一部に貼付票２２の短辺を配置し配達票２１の長辺の残り部分に副ラベル片３の短辺を複数配置したもので説明したが、レイアウトはこれに限られるものではなく、例えば、配達票２１の短辺と貼付票２２の短辺を同じ長さにして隣接したものを主伝票部１とし、該主伝票１のいずれかの辺に副ラベル片３を多数形成するようにしてもよい。
（３）例えば、副ラベル片３の形状も帯状のものを示したが円形状でもよい。
【００２７】
【発明の効果】
本発明によれば、以下のような発明の効果がある。
（１）主伝票部及び副ラベル片とが面状に配置され、主伝票部及び副ラベル片に共通の識別コード（バーコード）の付された一枚の配送伝票により複数個の配送物が配送可能なので、配送伝票枚数の削減になる。
（２）主伝票部及び副ラベル片とが面状に配置され、主伝票部及び副ラベル片に共通の識別コード（バーコード）がプリンタ装置により印字されるので、主伝票部と副ラベル片との完全な整合性が保証される。
これにより、配送される複数個の配送物同士が確実に紐付けされ、同一依頼人から同一届け先に対して原則同時に複数個の配送物が配送される。
（３）主伝票部及び副ラベル片に共通の識別コード（バーコード）が付されるので、識別コード（バーコード）番号の節約になる。
（４）従来の１パート配送伝票を製造する工程ならびに材料を用いて、副ラベル片を別途用意することなく複数個用配送伝票が製造できるので、製造コストの削減につながる。
【図面の簡単な説明】
【図１】本発明の複数個用配送伝票を示す平面図である・
【図２】図１の配送伝票の構造を説明する断面図である。
【図３】本発明の配送伝票の使用方法を説明する図である。
【図４】本発明に係る配達票の別の実施形態を示す平面図である。
【符号の説明】
１  配送伝票
２  主伝票部
２１  配達票
２２  貼付票
３  副ラベル片
５  バーコード
６０  ラベル基材
６１  粘着剤層
６２  剥離紙
６３  接着剤層
６４  剥離層
６５  伝票用紙
７  捺印欄
８  配送個数印字欄
【図１】
2005024765.tif 000003
【図２】
2005024765.tif 000004
【図３】
2005024765.tif 000005
【図４】
2005024765.tif 000006